(57)【要約】      （修正有）【課題】高感度の電波時計を提供する。【解決手段】電波時計は、風防３１と、裏蓋を含む金属製の外装ケースと、風防３１の裏側に配置されるアンテナ１０ａと、外装ケースの中に配置される文字板５１と、一端がアンテナ１０ａと接し、アンテナ１０ａと受信回路とを電気的に接続する導電ピン４１と、導電ピン４１の外側を覆い、外装ケースの内側に配置される高誘電部材３６ａ、３６ｂと、を含む。【選択図】図２
2018169360.tif 000002
【特許請求の範囲】
【請求項１】
風防と、
裏蓋を含む金属製の外装ケースと、
前記風防の裏側に配置されるアンテナと、
前記外装ケースの中に配置される文字板と、
一端が前記アンテナと接し、前記アンテナと受信回路とを接続する回路を構成する導電ピンと、
前記導電ピンの外側を覆い、前記外装ケースの内側に配置される高誘電部材と、
を含む電波時計。
【請求項２】
請求項１に記載の電波時計において、
前記風防と前記文字板との間に配置されるカバー部材をさらに含み、
前記カバー部材は前記導電ピンが挿通する切欠きまたは開口を備え、
前記高誘電部材は前記切欠きまたは前記開口に配置される、
電波時計。
【請求項３】
請求項１または２に記載の電波時計において、
前記高誘電部材は、平面視で前記導電ピンを囲む、
電波時計。
【請求項４】
請求項１に記載の電波時計において、
前記高誘電部材は、前記風防と前記文字板との間に配置され前記外装ケースの内周面に隣接するカバー部材である、
電波時計。
【請求項５】
請求項１から４のいずれかに記載の電波時計において、
前記カバー部材は、前記導電ピンに隣接しかつ前記風防から離れる方向に突出する突出部を有し、
前記突出部は、前記高誘電部材が配置される切欠きを備える、
電波時計。
【請求項６】
請求項１から５のいずれかに記載の電波時計において、
前記アンテナと前記裏蓋との間に配置されるバラン回路をさらに含み、
前記導電ピンは前記アンテナと前記バラン回路とを電気的に接続し、
前記高誘電部材は、前記バラン回路の外側を覆い、前記外装ケースの内側に配置される、
電波時計。
【請求項７】
請求項６に記載の電波時計において、
前記高誘電部材は、さらに前記バラン回路と前記裏蓋との間に配置される、
電波時計。
【請求項８】
請求項６または７に記載の電波時計において、
前記高誘電部材は、前記導電ピンが挿通される開口を有し、前記バラン回路の前記文字板側を覆う、
電波時計。
【請求項９】
請求項１から７のいずれかに記載の電波時計において、
前記文字板と前記裏蓋との間に配置され、前記受信回路を含むムーブメントをさらに含み、
前記ムーブメントの前記裏蓋側を覆う第１の部分、および、前記ムーブメントの外周側を覆う第２の部分を含む第２の高誘電部材を有する、
電波時計。
【請求項１０】
請求項９に記載の電波時計において、
前記第２の高誘電部材の前記第２の部分は、樹脂により形成される、
電波時計。
【請求項１１】
請求項９または１０に記載の電波時計において、
前記第２の高誘電部材は、開口または切欠きを有する、
電波時計。
【請求項１２】
請求項１１に記載の電波時計において、
前記第２の高誘電部材に含まれる開口または切欠きに挿通される操作部材をさらに含む、
電波時計。
【請求項１３】
請求項１１に記載の電波時計において、
前記第２の高誘電部材に含まれる開口または切欠きに挿通される接地配線をさらに含む、
電波時計。
【発明の詳細な説明】
【技術分野】
【０００１】
本発明は、衛星等から信号を受信する電波時計に関する。
【背景技術】
【０００２】
ＧＰＳ（Global Positioning System）を構成する衛星等からの送信信号に含まれる時刻情報を受信して時刻を修正する携帯型の電波時計が実用に供されている。電波の受信のためのアンテナの種類および配置は、時計の機能を損なわずかつ必要な受信感度が得られるように決定されている。
【０００３】
特許文献１には、窓材の外周部の内面上にアンテナを形成し、アンテナとムーブメント内の回路基板とを導電ピンを介して導通することが開示されている。
【先行技術文献】
【特許文献】
【０００４】
【特許文献１】特開２００３−３１５４７５号公報
【発明の概要】
【発明が解決しようとする課題】
【０００５】
本願発明者らは、腕時計のような携帯時計の外周に沿ってアンテナ電極を配置し、受信回路が配置される基板とアンテナ電極とを導電ピンで接続することを検討している。一方、アンテナ電極と受信回路とを電気的に接続する配線は、周囲の金属部材やノイズの影響を受けやすく、受信感度が低下しやすかった。例えば、ベゼルが金属製の場合には、受信感度が大きく低下する。
【０００６】
本発明は上記事情を考慮してなされたものであって、その目的は、高感度の電波時計を提供することである。
【課題を解決するための手段】
【０００７】
（１）風防と、裏蓋を含む金属製の外装ケースと、前記風防の裏側に配置されるアンテナと、前記外装ケースの中に配置される文字板と、一端が前記アンテナと接し、前記アンテナと受信回路とを接続する回路を構成する導電ピンと、前記導電ピンの外側を覆い、前記外装ケースの内側に配置される高誘電部材と、を含む電波時計。
【０００８】
（２）（１）において、前記風防と前記文字板との間に配置されるカバー部材をさらに含み、前記カバー部材は前記導電ピンが挿通する切欠きまたは開口を備え、前記高誘電部材は前記切欠きまたは前記開口に配置される、電波時計。
【０００９】
（３）（１）または（２）において、前記高誘電部材は、平面視で前記導電ピンを囲む、電波時計。
【００１０】
（４）（１）において、前記高誘電部材は、前記風防と前記文字板との間に配置され前記外装ケースの内周面に隣接するカバー部材である、電波時計。
【００１１】
（５）（１）から（４）のいずれかにおいて、前記カバー部材は、前記導電ピンに隣接しかつ前記風防から離れる方向に突出する突出部を有し、前記突出部は、前記高誘電部材が配置される切欠きを備える、電波時計。
【００１２】
（６）（１）から（５）のいずれかにおいて、前記アンテナと前記裏蓋との間に配置されるバラン回路をさらに含み、前記導電ピンは前記アンテナと前記バラン回路とを電気的に接続し、前記高誘電部材は、前記バラン回路の外側を覆い、前記外装ケースの内側に配置される、電波時計。
【００１３】
（７）（６）において、前記高誘電部材は、さらに前記バラン回路と前記裏蓋との間に配置される、電波時計。
【００１４】
（８）（６）または（７）において、前記高誘電部材は、前記導電ピンが挿通される開口を有し、前記バラン回路の前記文字板側を覆う、電波時計。
【００１５】
（９）（１）から（７）のいずれかにおいて、前記文字板と前記裏蓋との間に配置され、前記受信回路を含むムーブメントをさらに含み、前記ムーブメントの前記裏蓋側を覆う第１の部分、および、前記ムーブメントの外周側を覆う第２の部分を含む第２の高誘電部材を有する、電波時計。
【００１６】
（１０）（９）において、前記第２の高誘電部材の前記第２の部分は、樹脂により形成される、電波時計。
【００１７】
（１１）（９）または（１０）において、前記第２の高誘電部材は、開口または切欠きを有する、電波時計。
【００１８】
（１２）（１１）において、前記第２の高誘電部材に含まれる開口または切欠きに挿通される操作部材をさらに含む、電波時計。
【００１９】
（１３）（１１）において、前記第２の高誘電部材に含まれる開口または切欠きに挿通される接地配線をさらに含む、電波時計。
【発明の効果】
【００２０】
本発明によれば、受信感度の高い電波時計を提供することができる。
【図面の簡単な説明】
【００２１】
【図１】第１の実施形態にかかる衛星電波腕時計の一例を示す平面図である。
【図２】図１に示される衛星電波腕時計のII−II切断線における断面図である。
【図３】導電ピンおよび高誘電部材の配置の一例を示す部分平面図である。
【図４】導電ピンに接続されるバラン基板の一例を示す平面図である。
【図５】アンテナ、バラン回路、受信回路の構成の一例を示すブロック図である。
【図６】導電ピンおよび高誘電部材の配置の他の一例を示す部分平面図である。
【図７】導電ピンおよび高誘電部材の配置の他の一例を示す部分平面図である。
【図８】導電ピンおよび高誘電部材の配置の他の一例を示す部分平面図である。
【図９】導電ピンおよび高誘電部材の配置の他の一例を示す部分平面図である。
【図１０】導電ピンと見返しリングの配置の他の一例を示す部分平面図である。
【図１１】導電ピンと見返しリングの配置の他の一例を示す部分平面図である。
【図１２】衛星電波腕時計の他の一例を示す断面図である。
【図１３】衛星電波腕時計の他の一例を示す断面図である。
【図１４】衛星電波腕時計の他の一例を示す断面図である。
【図１５】図１４に示される衛星電波腕時計の導電ピンおよび高誘電部材の配置を示す平面図である。
【図１６】第２の実施形態にかかる衛星電波腕時計の一例を示す断面図である。
【図１７】バラン基板を覆う高誘電部材の他の一例を示す部分断面図である。
【図１８】バラン基板を覆う高誘電部材の他の一例を示す部分断面図である。
【図１９】衛星電波腕時計の他の一例を模式的に示す断面図である。
【図２０】導電ピンおよび高誘電部材の配置の一例を示す平面図である。
【図２１】裏蓋および高誘電部材の配置の一例を示す平面図である。
【発明を実施するための形態】
【００２２】
以下、本発明の実施の形態について、図面を参照しながら詳細に説明する。以下では本発明の実施形態にかかる衛星電波腕時計１について説明する。本実施形態に係る衛星電波腕時計１は、時刻情報を含んだ衛星電波を受信し、当該受信された衛星電波に含まれる時刻情報を用いて自身が計時している時刻の修正や測位を行う。
【００２３】
［第１の実施形態］
図１は、第１の実施形態にかかる衛星電波腕時計１の外観の一例を示す平面図であり、図２は、図１に示される衛星電波腕時計１のII−II切断線における断面図である。これらの図に示されるように、衛星電波腕時計１は、風防ガラス３１と、風防ガラス３１を保持するベゼル３２と、円筒状の胴３８と、胴３８の下に設けられる図示しない裏蓋３９とを含む。これらは衛星電波腕時計１の外形を構成している。胴３８およびベゼル３２は、風防ガラス３１および裏蓋３９に挟まれている。胴３８、ベゼル３２、裏蓋３９は、衛星電波腕時計１の外装ケースを構成している。以下では、衛星電波腕時計１の中心から風防ガラス３１へ向かう向きを上、裏蓋３９へ向かう向きを下と表記する。
【００２４】
胴３８は金属からなり、上下方向に貫かれる穴を有する。ベゼル３２は胴３８の穴の上部の形状に応じたリング状の部材である。ベゼル３２は、金属からなる。ベゼル３２はその胴３８の穴の上部にはめ込まれることで胴３８に接続されている。また裏蓋３９は金属からなり胴３８の穴の下部の形状に応じた平面を有し、裏蓋３９はその穴の下部にはめ込まれている。風防ガラス３１は、ベゼル３２の開口の上部の形状に応じた平面形状を有し、ベゼル３２のその開口にはめ込まれている。風防ガラス３１とベゼル３２とは図示しないパッキンを介して接しており、パッキンにより風防ガラス３１が固定されている。またベゼル３２と胴３８とは図示しないパッキンを介して接しており、パッキンによりベゼル３２が固定されている。また、耐衝撃性と防水性が劣るものの、パッキンの代わりにカシメや接着などでベゼル３２に風防ガラス３１を固定してもよい。
【００２５】
また、衛星電波腕時計１は、目隠し領域６１、アンテナ１０ａ，１０ｂ、リング状の見返しリング３４、高誘電部材３６ａ，３６ｂ、文字板５１、時針５２ａ、分針５２ｂ及び秒針５２ｃ、バラン回路２１、図示しないソーラーセル、ムーブメント５９、を含む。これらは、風防ガラス３１、ベゼル３２、胴３８、裏蓋３９に囲まれた空間に配置されている。ムーブメント５９は、外装ケース内に配置されており、日板や、地板、バラン基板４３、回路モジュール４７、駆動回路などを含む。
【００２６】
アンテナ１０ａ，１０ｂは、風防ガラス３１の下側（裏側）に、風防ガラス３１の周縁に沿って延びるように配置されている。図１の例では、アンテナ１０ａ，１０ｂのそれぞれは円弧状である。アンテナ１０ａ，１０ｂは衛星から送信される衛星信号を受信する。特に本実施形態では、アンテナ１０ａ，１０ｂはいわゆるダイポールアンテナであり、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信する。ＧＰＳは、衛星測位システムの一種であって、地球の周囲を周回する複数のＧＰＳ衛星によって実現されている。また、アンテナ１０ａ，１０ｂは準天頂衛星システムを構成する衛星やGLONASSから送信される電波を受信してもよく、Bluetooth（登録商標）規格等に従った約２．４ＧＨｚの電波を送受信してもよい。
【００２７】
アンテナ１０ａ，１０ｂと風防ガラス３１との間には、平面視でリング状の目隠し領域６１が設けられている。目隠し領域６１の下側の面の上にアンテナ１０ａ，１０ｂが接着あるいは蒸着されている。目隠し領域６１は、例えば印刷により形成され、目隠し領域６１により、アンテナ１０ａ，１０ｂが表側から視認されないようになっている。なお、目隠し領域６１は設けられていなくてもよく、アンテナ１０ａ，１０ｂは風防ガラス３１に直接的に接着あるいは蒸着されていてもよい。
【００２８】
見返しリング３４は、ムーブメント５９と風防ガラス３１との間にあるリング状の部材であり、ベゼル３２または胴３８の内周面に沿って設けられている。見返しリング３４の材質は、例えば樹脂やセラミックスである。見返しリング３４は、外周面と、外周面の上端から内周側に向かう上面と、上面の内周側の端から文字板５１へ向かう傾斜面と、傾斜面に接続する内周面と、外周面と内周面との下端を接続する底面とを含む。
【００２９】
２本の導電ピン４１はアンテナ１０ａ，１０ｂと１対１で対応しており、アンテナ１０ａ，１０ｂのそれぞれは、対応する導電ピン４１によりバラン基板４３と電気的に接続されている。２本の導電ピン４１の上端はアンテナ１０ａ，１０ｂに突き当たっている。導電ピン４１は、アンテナ１０ａ，１０ｂからみて、風防ガラス３１から遠ざかる方向に延びている。また２本の導電ピン４１の下端はそれぞれバラン基板４３上に設けられた２つの接続端子に接触している。
【００３０】
ベゼル３２は内周側の面から張り出し、見返しリング３４の下を延び、文字板５１の外周側の端に隣接する張出部３２ｅを有する。平面視で、ベゼル３２の張出部３２ｅは、導電ピン４１および高誘電部材３６ａ，３６ｂが通る領域には設けられていない。
【００３１】
張出部３２ｅは文字板５１に乗り上げるような構成であってもよい。ベゼル３２の張出部３２ｅが文字板５１に乗り上げる場合は、張出部３２ｅが文字板５１の縁を押えることでムーブメント５９の位置を合わせることができる。
【００３２】
高誘電部材３６ａ，３６ｂの誘電率は、見返しリング３４の誘電率や文字板５１の誘電率より高いことが望ましい。高誘電部材３６ａ，３６ｂは、例えばセラミックスなどの部材であり、高誘電部材３６の材質は、例えば、アルミナや窒化ケイ素（誘電率８〜１０）、ジルコニア（誘電率２８〜３３）であってもよいし、酸化チタン（誘電率６０〜１００）を混ぜた焼結体であってもよい。また高誘電部材３６の材質は誘電率の高いその他のセラミックス材料や樹脂材料であってもよい。
【００３３】
図３は、導電ピン４１および高誘電部材３６ａの配置の一例を示す部分平面図である。見返しリング３４の外周側には切欠き３４ｎが設けられている。切欠き３４ｎは見返しリング３４の外周面、上面、底面の一部が削られた形状である。上下方向に延びる２本の導電ピン４１と高誘電部材３６ａとが切欠き３４ｎの内部に配置されている。また、高誘電部材３６ａは導電ピン４１の外側かつベゼル３２の内側に配置されている。高誘電部材３６ａおよび見返しリング３４は、導電ピン４１を挟んでいる。
【００３４】
図４は、導電ピン４１に接続されるバラン基板４３の一例を示す平面図である。高誘電部材３６ｂは、高誘電部材３６ａの下側に隣接して設けられており、導電ピン４１およびバラン基板４３の外側に配置され、かつベゼル３２および胴３８の内周面の内側に配置されている。図２および図４の例では、高誘電部材３６ａと高誘電部材３６ｂとは異なる部材であるが、高誘電部材３６ａと高誘電部材３６ｂとが一体的に成型されてもよい。また、導電ピン４１の外側に高誘電部材３６ｂが配置されなくてもよい。
【００３５】
図５は、アンテナ１０ａ，１０ｂ、バラン回路２１、受信回路２２の構成の一例を示すブロック図である。バラン回路２１はバラン基板４３に配置されている。アンテナ１０ａ，１０ｂは、それぞれ導電ピン４１を介してバラン回路２１に電気的に接続されている。またバラン回路２１は、同軸ピン４５を介して受信回路２２に接続されている。なお、同軸ピン４５の代わりに、例えば同軸ケーブルのような同軸線が用いられてもよい。
【００３６】
バラン回路２１は、アンテナ１０ａ，１０ｂからの平衡な受信信号を不平衡な信号に変換する。バラン回路２１は、アンテナ１０ａ，１０ｂ側のコイル２１ａと、受信回路２２側のコイル２１ｂとを含む。アンテナ１０ａは、コイル２１ａの一端に電気的に接続され、アンテナ１０ｂは、コイル２１ｂの他端に電気的に接続されている。コイル２１ｂの一端は接続配線を介して受信回路２２に接続されており、コイル２１ｂの他端は回路の接地電位ＧＮＤを供給する配線に接続されている。コイル２１ａ，２１ｂからなるトランスにより、平衡な受信信号が不平衡な信号に変換される。導電ピン４１、バラン回路２１、同軸ピン４５は、アンテナ１０ａ，１０ｂと受信回路２２とを接続する回路を構成している。
【００３７】
受信回路２２はアンテナ１０ａ，１０ｂが受信した信号を復号し、復号の結果得られる衛星信号の内容を示すビット列（受信データ）を出力する。より具体的には、受信回路２２は高周波回路（ＲＦ回路）及びデコード回路を含んでいる。高周波回路は、高周波数で動作し、アンテナ１０ａ，１０ｂが受信したアナログ信号に対して増幅、検波を行って、ベースバンド信号に変換する。デコード回路は、高周波回路が出力するベースバンド信号を復号してＧＰＳ衛星から受信したデータの内容を示すビット列を生成し出力する。
【００３８】
ここで、ムーブメント５９は、図示しない制御回路と駆動機構とを含む。制御回路は、受信回路２２から取得されたビット列を取得し、衛星電波腕時計１に含まれる各種回路や駆動機構を制御する。駆動機構は、ステップモータであるモーターと、輪列と、を含んで構成される。モーターの回転を輪列が伝達することによって、例えば時針５２ａ、分針５２ｂ、及び秒針５２ｃのうちいずれかを回転させる。これにより現在時刻が表示される。
【００３９】
アンテナ１０ａ，１０ｂと、受信回路２２との間の経路には、アンテナ１０ａ，１０ｂが受信した高周波信号が流れる。この経路を流れる高周波信号は、周囲の金属やノイズの影響を受けやすい。一方、高誘電部材３６ａ，３６ｂが高周波信号の経路と金属またはノイズ源との間に配置されると、金属やノイズによる高周波信号への影響を軽減することができ、受信感度が向上する。特にベゼル３２が金属の場合には、ベゼル３２が導電ピン４１に最も近接する金属部材となり、このベゼル３２と導電ピン４１との間に高誘電部材３６ａが配置されることによって、受信感度が大きく向上する。
【００４０】
導電ピン４１および高誘電部材３６ａ，３６ｂの配置は、図２や図３に示されるものには限られない。図６は、導電ピン４１および高誘電部材３６ａの配置の他の一例を示す部分平面図である。図６の例では、見返しリング３４に、切欠き３４ｎの代わりに上下方向に貫通する開口３４ｓが設けられている。開口３４ｓは、見返しリング３４の上面と底面とを貫いている。導電ピン４１および高誘電部材３６ａは、開口３４ｓを通るように設けられている。また、高誘電部材３６ａは導電ピン４１の外側かつベゼル３２の内側に配置されている。
【００４１】
図７は、導電ピン４１および高誘電部材３６ａの配置の他の一例を示す部分平面図である。図７の例では、見返しリング３４の内周側に切欠き３４ｍが設けられている。切欠き３４ｍは見返しリング３４の内周面、傾斜面、上面、底面の一部が削られた形状である。上下方向に延びる２本の導電ピン４１と高誘電部材３６ａとが切欠き３４ｍの内部に配置されている。また、高誘電部材３６ａは導電ピン４１の外側かつベゼル３２の内側に配置されており、見返しリング３４および高誘電部材３６ａは、導電ピン４１とベゼル３２の内周面との間に挟まれている。
【００４２】
図８は、導電ピン４１および高誘電部材３６ａの配置の他の一例を示す部分平面図である。図８の例では、図３の例と異なり、見返しリング３４の切欠き３４ｎには高誘電部材３６ａが配置される。また、見返しリング３４には上下に貫通する開口３４ｒ，３４ｑが設けられ、２本の導電ピン４１は、それぞれ開口３４ｒ，３４ｑの内側を通るように配置されている。
【００４３】
図９は、導電ピン４１および高誘電部材３６ａの配置の他の一例を示す部分平面図である。図９の例では、見返しリング３４の外周側に切欠き３４ｎが設けられており、切欠き３４ｎの中に高誘電部材３６ａが配置されている。高誘電部材３６ａには、上から下に貫通する開口３６ｒ，３６ｑが設けられ、２本の導電ピン４１は、それぞれ開口３６ｒ，３６ｑの内側を通るように配置されている。
【００４４】
図１０は、導電ピン４１と見返しリング３４の配置の他の一例を示す部分平面図である。図１０の例では、見返しリング３４の誘電率は、図２や図９の例における見返しリング３４よりも高くなっている。見返しリング３４の材質は、図２等の例における高誘電部材３６ａと同様であってよい。図１０の例では、見返しリング３４の内周側に切欠き３４ｍが設けられている。切欠き３４ｍは見返しリング３４の内周面、傾斜面、上面、底面の一部が削られた形状である。上下方向に延びる２本の導電ピン４１は切欠き３４ｍの内部に配置されている。
【００４５】
図１１は、導電ピン４１と見返しリング３４の配置の他の一例を示す部分平面図である。図１１の例では、図１０の例と同様に、見返しリング３４の誘電率が高くなっている。また、見返しリング３４には、上から下に貫通する開口３４ｓが設けられている。開口３４ｓの端は見返しリング３４の上面および下面に達しており、開口３４ｓの断面は略矩形である。開口３４ｓの断面は、例えば４つの辺のうち隣り合う辺が、曲線により接続される形状である。開口３４ｓの内部には、上下方向に延びる２本の導電ピン４１が配置されている。
【００４６】
図６から１１の例においても、金属やノイズによる高周波信号への影響が軽減され、受信感度が向上する。
【００４７】
図１２は、衛星電波腕時計１の他の一例を示す断面図である。図１２の例では、図１０の例と同様に、見返しリング３４の誘電率が高くなっている。また、見返しリング３４は、導電ピン４１に隣接し、下面から下方向に突出する突出部３４ｐを有している。ベゼル３２は張出部３２ｅを有する。内周側の面から張り出し、見返しリング３４の下を延び、文字板５１の外周側の端に隣接する張出部３２ｅを有する。平面視で、ベゼル３２の張出部３２ｅは、見返しリング３４の突出部３４ｐと重なる領域には設けられていない。突出部３４ｐと張出部３２ｅとがかみ合うことにより見返しリング３４の位置が合わせられる。
【００４８】
図１３は、衛星電波腕時計１の他の一例を示す断面図である。図１３の例では、図１２の例と異なり、導電ピン４１の下端、バラン基板４３および同軸ピン４５の外側を覆う高誘電部材３６ｂが設けられている。見返しリング３４の突出部３６ｐには、高誘電部材３６ｂの上端に対応する形状の切欠きが設けられており、高誘電部材３６ｂは切欠きにより横方向に動かないように位置決めされている。また、ムーブメント５９や回路モジュール４７に高誘電部材３６ｂに応じた切欠きを設けることにより、これらの位置を正確に合わせることが可能になる。たとえば、導電ピン４１や同軸ピン４５が正確に接触することにより、製造のばらつきを抑えることも可能になる。
【００４９】
図１４は、衛星電波腕時計１の他の一例を示す断面図である。図１５は、図１４に示される衛星電波腕時計１の導電ピン４１および高誘電部材３６ｂの配置を示す平面図である。図１４、図１５の例では、図１３の例と異なり、バラン基板４３が設けられておらず、導電ピン４１は回路モジュール４７の接続端子に接触している。図１４の例では、回路モジュール４７にバラン回路２１が設けられてもよい。また、バラン回路２１が設けられなくてもよい。
【００５０】
図１４の例では高誘電部材３６ｂは平面視でリング状であり、回路モジュール４７の外側に設けられている。高誘電部材３６ｂのうち導電ピン４１に隣接する部分には、リング状の部分から上方に延びる突出部３６ｐが設けられている。突出部３６ｐは導電ピン４１の外側を覆っている。図１３の例と同様に見返しリング３４の突出部３６ｐには、高誘電部材３６ｂの突出部３６ｐに対応する形状の切欠きが設けられており、高誘電部材３６ｂは切欠きにより横方向に動かないように位置決めされている。また、高誘電部材３６ｂには開口３６ｕが設けられており、外装ケースの外からその開口３６ｕを通り回路モジュール４７に接続される操作部材６５が設けられている。操作部材６５は図１５の例のような竜頭であってもよいし、ボタンなどの他の部材であってもよい。
【００５１】
［第２の実施形態］
次に、本発明の第２の実施形態について、主に第１の実施形態との相違点について説明する。第２の実施形態にかかる衛星電波腕時計１では、バラン基板４３と外装ケースの裏蓋３９との間にも誘電率の高い部材が設けられている。
【００５２】
図１６は、第２の実施形態にかかる衛星電波腕時計１の一例を示す断面図である。図１６は図２に対応する図である。図１６の例では、バラン基板４３の外周側かつ外装ケースの内周側に高誘電部材３６ｂが配置されるだけでなく、バラン基板４３の上側、バラン基板４３の下側、を覆う高誘電部材３６ｃが設けられている。高誘電部材３６ｃは、バラン基板４３のうち外周側と反対の側（径方向内側）も覆っている。２本の導電ピン４１は高誘電部材３６ｃを貫通し、アンテナ１０ａ，１０ｂおよびバラン基板４３に接触している。バラン基板４３の下側も覆うことにより、金属の裏蓋３９の影響や、下側からのノイズの影響を軽減し、受信感度を向上させることができる。
【００５３】
ここで、バラン基板４３を覆う誘電率の高い部材はバラン基板４３の上側を覆う部材と下側を覆う部材とで分割されていてもよい。図１７は、バラン基板４３を覆う高誘電部材３６ｄ，３６ｅの一例を示す部分断面図である。図１７では、説明のために、高誘電部材３６ｄ、高誘電部材３６ｅ、導電ピン４１、同軸ピン４５が互いに離間しているが、それらは図中の矢印の方向に動かされる。また図１７の例の実際の形状は図１６の例とほぼ同じである。図１７の例では、バラン基板４３の上側および径方向内側を覆う高誘電部材３６ｄと、バラン基板４３の下側および径方向外側を覆う高誘電部材３６ｅとが配置される。高誘電部材３６ｅは図１６における高誘電部材３６ｂの箇所にも設けられている。
【００５４】
高誘電部材３６ｄと高誘電部材３６ｅとは、バラン基板４３の径方向外側の上および、径方向内側の下で接している。また、高誘電部材３６ｅは、突出部３６ｐを有していてもよい。高誘電部材３６ｄには、導電ピン４１が貫通する開口３６ｓが設けられ、高誘電部材３６ｅには同軸ピン４５が貫通する開口３６ｔが設けられている。
【００５５】
図１８は、バラン基板４３を覆う高誘電部材３６ｄ，３６ｅの他の一例を示す部分断面図である。図１８の例では、高誘電部材３６ｅはバラン基板４３の下側、径方向内側および径方向外側を覆う。言い換えれば、バラン基板４３が配置されるくぼみを有する。一方、高誘電部材３６ｄは、バラン基板４３の上側を覆い、高誘電部材３６ｅの上端と接する板状の部材である。高誘電部材３６ｄには開口３６ｓが、高誘電部材３６ｅには開口３６ｔが設けられている。バラン基板４３を覆う誘電率の高い部材は、一体的に成型されていてもよいし、複数の部材に分割されていてもよい。
【００５６】
図１９は、衛星電波腕時計１の他の一例を模式的に示す断面図である。図２０は、導電ピン４１および高誘電部材３６ｂの配置の一例を示す平面図である。図２１は、裏蓋３９および高誘電部材３６ｇの配置の一例を示す平面図である。図１９から図２１の例では、高誘電部材３６ｂ，３６ｇは、バラン基板４３および回路モジュール４７を含むムーブメント５９の下側および外周側も覆っている。図１９は、説明上の都合で操作部材６５が、導電ピン４１、バラン基板４３等と同じ断面にあるように記載されている。しかし、実際には操作部材６５の上方にはバラン基板４３や導電ピン４１は配置されていない（図２０参照）。図２１は、高誘電部材３６ｇおよび裏蓋３９、接地配線６４を、上側からみた平面図である。
【００５７】
高誘電部材３６ｂは筒状の部材であり、バラン基板４３および回路モジュール４７を含むムーブメント５９の外周側を囲むように配置されている。高誘電部材３６ｂには、操作部材６５を通すための開口３６ｕが設けられている。また、高誘電部材３６ｇはムーブメント５９と裏蓋３９との間に設けられている。高誘電部材３６ｇには接地配線６４を通すための開口３６ｗが設けられている。接地配線６４は、回路モジュール４７やバラン基板４３内の配線と、裏蓋３９とを電気的に接続し、回路モジュール４７やバラン基板４３に接地電位を供給している。高誘電部材３６ｇは、高誘電部材３６ｂの下端と接している。
【００５８】
図１９から２１の例では、高周波を扱う受信回路２２と外装ケースとの間にも誘電率の高い部材が配置されている。これにより、外装ケースの金属によるバラン回路２１や受信回路２２への影響を軽減し、受信感度を向上させることができる。ここで、開口３６ｕや開口３６ｗは必要最低限しか設けられておらず、開口３６ｕ，３６ｗの大きさは受信高周波の波長に比べて十分に小さいため、開口３６ｕ，３６ｗによる実質的な受信感度の低下は最低限に抑えられる。
【００５９】
なお、接地配線６４が通る開口３６ｗは高誘電部材３６ｂの側に設けられてもよい。この場合、開口３６ｗを通る接地配線６４は回路モジュール４７の外周側の面に設けられる。
【００６０】
これまでに、衛星電波腕時計１に本発明を適用した場合について説明したが、本発明は例えば腕時計と異なる携帯用の小型の時計にも適用できる。
【符号の説明】
【００６１】
１  衛星電波腕時計、１０ａ，１０ｂ  アンテナ、２０  接続配線、２１  バラン回路、２１ａ，２１ｂ  コイル、２２  受信回路、３１  風防ガラス、３２  ベゼル、３２ｅ  張出部、３４  見返しリング、３４ｍ，３４ｎ  切欠き、３４ｐ  突出部、３４ｒ，３４ｑ，３４ｓ  開口、３６ａ，３６ｂ，３６ｃ，３６ｄ，３６ｅ，３６ｇ  高誘電部材、３６ｐ  突出部、３６ｑ，３６ｒ，３６ｓ，３６ｔ，３６ｕ，３６ｗ  開口、３８  胴、３９  裏蓋、４１  導電ピン、４３  バラン基板、４５  同軸ピン、４７  回路モジュール、５１  文字板、５２ａ  時針、５２ｂ  分針、５２ｃ  秒針、５９  ムーブメント、６１  目隠し領域、６４  接地配線、６５  操作部材。
【図１】
2018169360.tif 000003
【図２】
2018169360.tif 000004
【図３】
2018169360.tif 000005
【図４】
2018169360.tif 000006
【図５】
2018169360.tif 000007
【図６】
2018169360.tif 000008
【図７】
2018169360.tif 000009
【図８】
2018169360.tif 000010
【図９】
2018169360.tif 000011
【図１０】
2018169360.tif 000012
【図１１】
2018169360.tif 000013
【図１２】
2018169360.tif 000014
【図１３】
2018169360.tif 000015
【図１４】
2018169360.tif 000016
【図１５】
2018169360.tif 000017
【図１６】
2018169360.tif 000018
【図１７】
2018169360.tif 000019
【図１８】
2018169360.tif 000020
【図１９】
2018169360.tif 000021
【図２０】
2018169360.tif 000022
【図２１】
2018169360.tif 000023